(57)【要約】【課題】  ミラーキャビネットのミラーを有効に曇り止めでき、手や頭髪を乾かすためにも便利に使用することができる洗面化粧台を提供する。【解決手段】  ミラーキャビネット５の下部に、開口窓２０が形成された乾燥ケース１１が設けられ、この乾燥ケース１１の上壁１３に、ヘアドライヤー２２を挿通保持可能なドライヤー保持体２４が設けられ、乾燥ケース１１の下部に、ヘアドライヤー２２の風向きを変更する風案内体３７が回動自在に支持され、乾燥ケース１１との間に風案内体３７を開口窓２０に進出してミラー４前面に下から風を送出する上回動位置Ｕと、開口窓２０を開放して前方へ風を送出する下回動位置Ｄとにそれぞれ保持する保持手段５１が設けられている。【選択図】図１
0003204849.tif 000002
【実用新案登録請求の範囲】
【請求項１】
洗面台（３）の上方に、前面に開閉自在のミラー（４）を有するミラーキャビネット（５）が設けられた洗面化粧台であって、
ミラーキャビネット（５）の下部に、上壁（１３）と背壁（１４）と下壁（１５）と左右の側壁（１６）とを有しかつ前側に開口窓（２０）が形成された乾燥ケース（１１）が設けられ、この乾燥ケース（１１）の上壁（１３）に、ヘアドライヤー（２２）の風が乾燥ケース（１１）内に送出されるようにヘアドライヤー（２２）を挿通保持可能なドライヤー保持体（２４）が設けられ、乾燥ケース（１１）の下部に、乾燥ケース（１１）内に入った風を下向きから上向きに変更する側面視略円弧状の風案内体（３７）が設けられ、
前記風案内体（３７）は、乾燥ケース（１１）に対して横軸（３９）廻りに回動自在に支持されており、乾燥ケース（１１）との間に風案内体（３７）を開口窓（２０）に進出してミラー（４）前面に下から風を送出する上回動位置（Ｕ）と、開口窓（２０）を開放して前方へ風を送出する下回動位置（Ｄ）とにそれぞれ保持する保持手段（５１）が設けられていることを特徴とする洗面化粧台。
【請求項２】
左右側壁（１６）を連結する前張り出し体（４３）が前記開口窓（２０）の前上部に配置されていて開口窓（２０）を上開口部（４６）と前開口部（４７）とに区画しており、前記保持手段（５１）は、風案内体（３７）を前開口部（４７）を全閉する上回動位置（Ｕ）で保持する第１保持部材（５５）と、風案内体（３７）を前開口部（４７）を全開する下回動位置（Ｄ）で保持する第２保持部材（５６）と、上回動位置（Ｕ）と下回動位置（Ｄ）との間で保持する第３保持部材（５７）とを有することを特徴とする請求項１に記載の洗面化粧台。
【請求項３】
ミラーキャビネット（５）にはミラー（４）の下方に、ヘアドライヤー（２２）を上壁（１３）上に出し入れ可能にする挿入口（６５）と、この挿入口（６５）を開閉自在に塞ぐ扉体（６６）とが設けられ、扉体（６６）の前面が拡大鏡（６７）とされており、
前記ドライヤー保持体（２４）は網体で形成されて、上壁（１３）に上下貫通状に保持されていることを特徴とする請求項１又は２に記載の洗面化粧台。
【考案の詳細な説明】
【技術分野】
【０００１】
本考案は、ヘアドライヤーの風を有効利用できる洗面化粧台に関するものである。
【背景技術】
【０００２】
ヘアドライヤーにエアータオル機能を持たせるようにした従来のドライヤー受け具には、支持台にヘアドライヤーを取り付けるための装着孔を設け、この装着孔にドライヤー本体をその吹出口を下に向けて上側から嵌合装着し、ヘアドライヤーの風を下向きに送出できるようにしたものがある（特許文献１）。この場合、ヘアドライヤーを支持台に置いたままで使うことができ、両手をヘアドライヤーの風で乾かすことが可能になる。
【０００３】
また、洗面化粧台には、洗面台の上方に、前面に開閉自在のミラーを有するミラーキャビネットが設けられたものがあり、この種の従来の洗面化粧台には、ミラーキャビネットの下部の前側にドライヤーを横軸廻りに回動自在に装備し、ドライヤーを上向きに回動したときにミラーキャビネットのミラーの前面に風を吹き付けて曇り止めすることができ、ドライヤーを前向きに回動したときに濡れた頭髪を乾かすことができるようにしたものがある（例えば特許文献２）。
【先行技術文献】
【特許文献】
【０００４】
【特許文献１】特開２００６−１１０２８６号公報
【特許文献２】実開平２−１２５６８５号公報
【考案の概要】
【考案が解決しようとする課題】
【０００５】
しかし、従来では、前者の場合、ヘアドライヤーの風を下向きにしか送出することができず、ミラーの曇り止めをすることができないし、ヘアドライヤーを支持台に置いたままでは頭髪を乾かすのに不便であった。
また、後者の場合、ドライヤーの風を下向きに送出することができず、手を乾かすのに不便であったし、ドライヤーは洗面化粧台に予め装備されたものであり、市販のヘアドライヤーを使用してミラーを曇り止めするものではないため、洗面化粧台が高価になるし、ドライヤーが故障した際には、この洗面化粧台用のドライヤーと交換する必要があり、ドライヤーの交換が面倒になり不経済であった。また、ドライヤーを洗面化粧台から取り外して、ハンド式のヘアドライヤーとして使用することができず、汎用性が劣り不便であるという問題があった。
【０００６】
本考案は上記問題点に鑑み、ヘアドライヤーを使用してミラーキャビネットのミラーを有効に曇り止めでき、手や頭髪を乾かすためにも便利に使用することができる洗面化粧台を提供することを目的としている。
【課題を解決するための手段】
【０００７】
本考案における課題解決のための具体的手段は、次の通りである。
この技術的課題を解決する本考案の技術的手段は、洗面台３の上方に、前面に開閉自在のミラー４を有するミラーキャビネット５が設けられた洗面化粧台であって、
ミラーキャビネット５の下部に、上壁１３と背壁１４と下壁１５と左右の側壁１６とを有しかつ前側に開口窓２０が形成された乾燥ケース１１が設けられ、この乾燥ケース１１の上壁１３に、ヘアドライヤー２２の風が乾燥ケース１１内に送出されるようにヘアドライヤー２２を挿通保持可能なドライヤー保持体２４が設けられ、乾燥ケース１１の下部に、乾燥ケース１１内に入った風を下向きから上向きに変更する側面視略円弧状の風案内体３７が設けられ、
前記風案内体３７は、乾燥ケース１１に対して横軸３９廻りに回動自在に支持されており、乾燥ケース１１との間に風案内体３７を開口窓２０に進出してミラー４前面に下から風を送出する上回動位置Ｕと、開口窓２０を開放して前方へ風を送出する下回動位置Ｄとにそれぞれ保持する保持手段５１が設けられている点にある。
【０００８】
また、本考案の他の技術的手段は、左右側壁１６を連結する前張り出し体４３が前記開
口窓２０の前上部に配置されていて開口窓２０を上開口部４６と前開口部４７とに区画しており、前記保持手段５１は、風案内体３７を前開口部４７を全閉する上回動位置Ｕで保持する第１保持部材５５と、風案内体３７を前開口部４７を全開する下回動位置Ｄで保持する第２保持部材５６と、上回動位置Ｕと下回動位置Ｄとの間で保持する第３保持部材５７とを有する点にある。
【０００９】
また、本考案の他の技術的手段は、ミラーキャビネット５にはミラー４の下方に、ヘアドライヤー２２を上壁１３上に出し入れ可能にする挿入口６５と、この挿入口６５を開閉自在に塞ぐ扉体６６とが設けられ、扉体６６の前面が拡大鏡６７とされており、
前記ドライヤー保持体２４は網体で形成されて、上壁１３に上下貫通状に保持されている点にある。
【考案の効果】
【００１０】
本考案によれば、ミラーキャビネットのミラーを曇り止めする場合、ヘアドライヤーをドライヤー保持体に保持し、風案内体を上回動位置に回動すれば、ミラー前面に下からヘアドライヤーの風を送出することができ、ヘアドライヤーの風でミラーを効果的に曇り止めすることができる。また、濡れた頭髪や手を乾かす場合、風案内体を下回動位置に回動すれば、開口窓を開放してヘアドライヤーの風を前方乃至下前方に送出することができるようになり、ヘアドライヤーを手で持ったりすることなく、濡れた頭髪や手を乾かすことができる。
【００１１】
しかも、ヘアドライヤーをミラーキャビネットから取り出せば、通常のハンド式のヘアドライヤーとして使用できるし、不使用時にはミラーキャビネットをヘアドライヤー収納ボックスとして利用できる。
【図面の簡単な説明】
【００１２】
【図１】本考案の一実施形態を示す風案内体を上回動位置に移動した状態の洗面化粧台のミラーキャビネット下部の側面断面図である。
【図２】同風案内体を中間回動位置に移動した状態の洗面化粧台のミラーキャビネット下部の側面断面図である。
【図３】同乾燥ケースを残してミラーキャビネット上部側のみを断面とした洗面化粧台の側面断面図である。
【図４】同洗面化粧台の正面図である。
【考案を実施するための形態】
【００１３】
以下、本考案の実施の形態を図面に基づいて説明する。
図１〜図４は本考案の一実施形態を示している。洗面化粧台１は、下部に洗面台３を備え、洗面台３の上方に前面に開閉自在のミラー４を有するミラーキャビネット５が設けられている。洗面台３は上部に洗面ボウル７を有し、下部に図示省略の収納キャビネットを有し、洗面ボウル７の上面側に水栓８が設けられている。
【００１４】
ミラー４は例えばキャビネット本体の一側端（右端部）にヒンジを介して開閉自在に取り付けられており、ミラー４を開くことによりミラーキャビネット５内に収納物を出し入れできるようになっている。
ミラーキャビネット５の下部に乾燥ケース１１が設けられている。この乾燥ケース１１は例えば合成樹脂により一体に形成され、上壁１３と背壁１４と下壁１５と左右側壁１６とを有し、上壁１３は長方形の板状に形成されて水平に配置されており、ミラーキャビネット５内の下部を上下に区画している。
【００１５】
背壁１４と下壁１５とは上下に連続しており、背壁１４はミラーキャビネット５の背壁１８に沿って上下方向に配置され、下壁１５は背壁１４の下端から前側に前下がりの円弧状に湾曲されて乾燥ケース１１の前後方向の中央部まで突出されている。乾燥ケース１１の前側に開口窓２０が形成され、この開口窓２０は左右側壁１６間にあって上壁１３前端から下壁１５前端に亘っている。
【００１６】
乾燥ケース１１の上壁１３に、ヘアドライヤー２２を挿通保持可能なドライヤー保持体２４が設けられ、ドライヤー保持体２４は網体で筒状に形成されて、上壁１３に上下貫通状に保持されている。ドライヤー保持体２４に、ヘアドライヤー２２のドライヤー本体２
６をその吹出口２７側を下に向けて挿通保持することができ、この状態でヘアドライヤー２２を駆動させると、ヘアドライヤー２２の熱風又は冷風が乾燥ケース１１内に送出されるようになっている。
【００１７】
前記ヘアドライヤー２２は市販のものであって、吹出口２７を有するドライヤー本体２６と把持部２８とを有し、把持部２８の端部から先端に差込プラグ２９を有する図示省略の電源コードが突設されている。
上壁１３の上面に支持台３２が設けられ、この支持台３２にコンセント３３とスイッチ３４とが設けられている。コンセント３３はヘアドライヤー２２の差込プラグ２９を差し込んでヘアドライヤー２２に電源を接続するためのものであり、スイッチ３４はヘアドライヤー２２にコンセント３３及び差込プラグ２９を介して接続した電源をオンオフするためのものである。
【００１８】
乾燥ケース１１の下部に、乾燥ケース１１内に入った風を下向きから上向きに変更する風案内体３７が設けられている。この風案内体３７は、下壁１５に対応して側面視で略円弧状に形成されており、風案内体３７の左右両側に扇形の一対の支持板３８が一体成形されている。支持板３８は乾燥ケース１１の側壁１６の内面に沿うように配置され、この支持板３８を介して風案内体３７は乾燥ケース１１の側壁１６に対し横軸３９廻りに回動自在に支持されており、下壁１５の上面に沿って開口窓２０に向けて出退移動自在とされている。風案内体３７の上部に操作片４１が外方突設されている。
【００１９】
左右側壁１６を連結する前張り出し体４３が前記開口窓２０の前上部に配置されている。前張り出し体４３は前方に突出するように側面視で半円の円弧状に形成され、左右両端部に取付板４４が後方に突設され、取付板４４が左右側壁１６の外面に沿って配置固定されており、前張り出し体４３は開口窓２０を上開口部４６と前開口部４７とに区画している。前張り出し体４３はその外面が例えば金色等に着色されており、乾燥ケース１１の正面を装飾して高級感がでるようにしている。
【００２０】
風案内体３７と乾燥ケース１１との間に、風案内体３７を開口窓２０に進出してミラー４前面に下から風を送出する上回動位置Ｕと、開口窓２０を開放して前方へ風を送出する下回動位置Ｄとにそれぞれ保持する保持手段５１が設けられている。即ち、風案内体３７が上回動位置Ｕに回動したときに、図１に実線で示すように、風案内体３７の上端が前張り出し体４３に当接した状態になり、風案内体３７が保持手段５１により上回動位置Ｕに保持され、このとき、風案内体３７が前開口部４７を閉塞し、上開口部４６を通して風を下からミラー４前面に送出する。また、風案内体３７が下回動位置Ｄに回動したときに、図１に２点鎖線で示すように、風案内体３７が保持手段５１により下回動位置Ｄに保持され、このとき、前開口部４７が全開となり、前開口部４７を通して風を前方乃至下前方に送出する。
【００２１】
前記保持手段５１は、風案内体３７を前開口部４７を全閉する上回動位置Ｕで保持する第１保持部材５５と、風案内体３７を前開口部４７を全開する下回動位置Ｄで保持する第２保持部材５６と、図２に示すように、風案内体３７を上回動位置Ｕと下回動位置Ｄとの間の中間回動位置Ｍで保持する第３保持部材５７とを有している。
そして、風案内体３７の後部の左右両側に磁石５９が固着され、乾燥ケース１１の左右側壁１６下部又は底壁両側部の前部と後部とそれらの中間部とに磁石５９に対応して鉄板等の強磁性体６０，６１，６２が固着されており、磁石５９と前側の強磁性体６０とで第１保持部材５５が構成され、磁石５９と後側の強磁性体６１とで第２保持部材５６が構成され、磁石５９と中間部側の強磁性体６２とで第３保持部材５７が構成され、これら第１保持部材５５と第２保持部材５６と第３保持部材５７とで保持手段５１が構成されている。
【００２２】
ミラーキャビネット５にはミラー４の下方に、ヘアドライヤー２２を上壁１３上に出し入れ可能にする挿入口６５と、この挿入口６５を開閉自在に塞ぐ扉体６６とが設けられ、扉体６６の前面が拡大鏡６７とされている。挿入口６５はミラー４の下部を四角形に切り欠いてなり、四角形状の扉体６６は下部を支点に左右方向の支軸６９廻りに開閉自在に支持され、扉体６６は、支軸６９廻りに開いたときに図示省略のストッパー等によって下壁
１５の前部から水平状に前方に突出する開状態に保持可能とされている。
【００２３】
扉体６６の上部に鉄板等の強磁性体７１が設けられると共に、ミラー４の下部後面に磁石７２が開口窓２０に下方突出するように固着されており、扉体６６を閉鎖した際に強磁性体７１が磁石７２に吸着されて扉体６６が挿入口６５を塞ぐ閉鎖状態に保持可能とされている。扉体６６の上部に扉体６６を開閉操作するための操作突片７３が設けられている。
【００２４】
前記実施形態によれば、図１に示すように、ドライヤー保持体２４に、ドライヤー本体２６をその吹出口２７側を下に向けて挿通保持し、ヘアドライヤー２２の差込プラグ２９をコンセント３３に差し込んでおけば、スイッチ３４をオンにしてヘアドライヤー２２を駆動すると、ヘアドライヤー２２の熱風又は冷風が乾燥ケース１１内に送出される。
そして、ミラー４の曇り止めをする場合、操作片４１を指で押し引きして、図１に実線で示すように、風案内体３７を上回動位置Ｕに回動すれば、第１保持部材５５によって風案内体３７を上回動位置Ｕに保持することができて、上開口部４６を通し、ミラー４前面に下からヘアドライヤー２２の風を送出することができ、ヘアドライヤー２２の熱風又は冷風でミラー４を効果的に曇り止めすることができる。
【００２５】
また、濡れた頭髪や手を乾かす場合、図１に２点鎖線で示すように、風案内体３７を下回動位置Ｄに回動すれば、第２保持部材５６によって風案内体３７を下回動位置Ｄに保持することができて、前開口部４７を全開にしてヘアドライヤー２２の風を前方乃至下前方に送出できるようになり、ヘアドライヤー２２を手で持ったりすることなく、濡れた頭髪や手を乾かすことができる。
【００２６】
また、濡れた頭髪を乾かす場合、図２に示すように、風案内体３７を中間回動位置Ｍに回動すれば、第３保持部材５７によって風案内体３７を中間回動位置Ｍに保持することができ、前開口部４７を前半部のみ開放してヘアドライヤー２２の風を前方乃至上前方に強く送出できるようになり、ヘアドライヤー２２を手で持ったりすることなく、濡れた頭髪を効率よく乾かすことができる。
【００２７】
従って、市販のヘアドライヤー２２を使用して、ミラー４を曇り止めできるし、ヘアドライヤー２２を手で持ったりすることなく、濡れた頭髪や手を乾かすことができる。しかも、ヘアドライヤー２２をミラーキャビネット５から取り出せば、通常のハンド式のヘアドライヤー２２として使用できるし、不使用時にはミラーキャビネット５をヘアドライヤー収納ボックスとして利用できる。このヘアドライヤー２２が故障すれば、市販のヘアドライヤー２２を購入して交換すればよく、汎用性に富み経済的で、便利である。
【００２８】
なお、前記実施形態では、風案内体３７は、保持手段５１によって、上回動位置Ｕと下回動位置Ｄの他に、中間回動位置Ｍにも保持できるようにしているが、これに代え、風案内体３７を、保持手段５１によって、上回動位置Ｕと下回動位置Ｄにのみ保持できるようにしてもよいし、上回動位置Ｕと下回動位置Ｄと中間回動位置Ｍの他に更にそれらの中間位置でも保持できるようにしてもよい。また、風案内体３７を任意の回動位置で保持できるようにしてもよい。
【００２９】
また、前記実施形態では、左右側壁１６を連結する前張り出し体４３を開口窓２０の前上部に設け、開口窓２０を上開口部４６と前開口部４７とに区画しているが、これに代え、前張り出し体４３を省略し、風案内体３７を、上開口部４６を残して開口窓２０を塞ぐ上回動位置Ｕと、開口窓２０を全開する下回動位置Ｄとに保持するようにしてもよい。
また、乾燥ケース１１は下壁１５を平坦にして外形を四角形の箱形に形成し、下壁１５の上面側に円弧状の風変更板を設け、下壁１５の下面側に洗面ボウル７に当接する支持脚を設けてもよい。
【００３０】
また、前記実施形態では、ミラーキャビネット５にはミラー４の下方に、ヘアドライヤー２２を上壁１３上に出し入れ可能にする挿入口６５と、この挿入口６５を開閉自在に塞ぐ扉体６６とが設けられているが、これら挿入口６５と扉体６６とを省略し、ミラー４の開閉によってヘアドライヤー２２を上壁１３上に出し入れするようにしてもよい。
【符号の説明】
【００３１】
１      洗面化粧台
３      洗面台
４      ミラー
５      ミラーキャビネット
１１    乾燥ケース
１３    上壁
１４    背壁
１５    下壁
１６    側壁
２１    開口窓
２２    ヘアドライヤー
２４    ドライヤー保持体
３７    風案内体
３９    横軸
４３    前張り出し体
４６    上開口部
４７    前開口部
５１    保持手段
５５    第１保持部材
５６    第２保持部材
５７    第３保持部材
６５    挿入口
６６    扉体
６７    拡大鏡
【図１】
0003204849.tif 000003
【図２】
0003204849.tif 000004
【図３】
0003204849.tif 000005
【図４】
0003204849.tif 000006